(57)【要約】【課題】簡単な構造でデュアルバンド化に対応できる折り返しモノポールアンテナを提供する。【解決手段】折り返しモノポールアンテナ１００は、アンテナ素子１０、アンテナ素子２０、入出力端子１０１、接地端子１０２を備え、アンテナ素子１０は、入出力端子１０１からＸ軸方向に延び、さらにＹ軸方向に延びて折り返し部１３に接続される入出力側エレメント１１と、折り返し部１３から入出力側エレメント１１と平行に延びて接地端子１０２に接続される接地側エレメント１２とを有し、アンテナ素子２０は、入出力端子１０１からＹ軸方向に延び、さらにＸ軸方向に延びて折り返し部２３に接続される入出力側エレメント２１と、折り返し部２３から入出力側エレメント２１と平行に延びて接地端子１０２に接続される接地側エレメント２２とを有する。【選択図】図１
2012199757.tif 000002
【特許請求の範囲】
【請求項１】
高周波信号を入出力する入出力端子と、
接地される接地端子と、
前記入出力端子から前記接地端子までを第１および第２の折り返し部をそれぞれ介して接続する第１および第２のアンテナ素子とを備え、
前記第１のアンテナ素子は、前記入出力端子から第１の方向および前記第１の方向に同一平面上で直交する第２の方向に順次延びて前記第１の折り返し部に接続される板状の第１の入出力側エレメントと、前記第１の折り返し部から前記第１の入出力側エレメントと平行に延びて前記接地端子に接続される板状の第１の接地側エレメントとを有し、
前記第２のアンテナ素子は、前記入出力端子から前記第２の方向および前記第１の方向に順次延びて前記第２の折り返し部に接続される板状の第２の入出力側エレメントと、前記第２の折り返し部から前記第２の入出力側エレメントと平行に延びて前記接地端子に接続される板状の第２の接地側エレメントとを有する折り返しモノポールアンテナ。
【請求項２】
前記第１および前記第２のアンテナ素子は、展開された状態において、前記第１および前記第２の折り返し部を挟んで対称に形成されている請求項１に記載の折り返しモノポールアンテナ。
【請求項３】
前記第１のアンテナ素子の共振周波数は、前記第２のアンテナ素子の共振周波数の１／２である請求項１または請求項２に記載の折り返しモノポールアンテナ。
【請求項４】
第１の基板面および前記第１の基板面の裏面側である第２の基板面を有する誘電体基板をさらに備え、
前記第１の基板面には、前記入出力端子としての入出力導体パタンと、前記第１の入出力側エレメントとしての第１の入出力側導体パタンと、前記第２の入出力側エレメントとしての第２の入出力側導体パタンとが形成され、
前記第２の基板面には、前記接地端子としての接地導体パタンと、前記第１の接地側エレメントとしての第１の接地側導体パタンと、前記第２の接地側エレメントとしての第２の接地側導体パタンとが形成され、
前記第１の入出力側導体パタンと前記第１の接地側導体パタンとの間の誘電体基板には、前記第１の折り返し部としての第１の折り返しスルホールが形成され、
前記第２の入出力側導体パタンと前記第２の接地側導体パタンとの間の誘電体基板には、前記第２の折り返し部としての第２の折り返しスルホールが形成されている請求項１から請求項３までのいずれか１項に記載の折り返しモノポールアンテナ。
【請求項５】
前記第１および前記第２の入出力側エレメントを搭載する搭載部と、前記第１の入出力側エレメントと前記第１の接地側エレメントとの間を支持する第１の支持部と、前記第２の入出力側エレメントと前記第２の接地側エレメントとの間を支持する第２の支持部とを有するハウジングをさらに備えた請求項１から請求項３までのいずれか１項に記載の折り返しモノポールアンテナ。
【請求項６】
前記第１および前記第２のアンテナ素子は、フレキシブルプリント基板の導体パタンで形成されている請求項１から請求項３までのいずれか１項に記載の折り返しモノポールアンテナ。
【発明の詳細な説明】
【技術分野】
【０００１】
本発明は、例えば、携帯電話や、無線通信が可能な電子機器等に内蔵される、デュアルバンド対応の折り返しモノポールアンテナに関する。
【背景技術】
【０００２】
近年、電子機器等に搭載されるアンテナとしては、これまで広く採用されてきたホイップ型アンテナに代わり内蔵型アンテナが主流となっている。内蔵型アンテナを採用すれば、筐体内にアンテナ素子が内蔵されるため、ホイップ型アンテナより使用時および収納時の取り扱いが容易となり、筐体デザインの自由度が増す等の利点が得られる。
【０００３】
しかしながら、内蔵型アンテナを搭載した電子機器は、筐体の小型化により、アンテナ素子と、基板に実装された周辺回路等の金属部分とが近接して配置されるためにアンテナの入力インピーダンスが低下し、送受信回路との間でインピーダンス不整合が生じて性能の低下を招く場合があった。
【０００４】
そこで、内蔵型アンテナの入力インピーダンスの低下を防止するための手段として、折り返しモノポールアンテナが用いられている。折り返しモノポールアンテナは、例えば、送受信する電波の１／２波長の導体を折り曲げて、２つの１／４波長モノポールアンテナ素子を互いに平行に設けたものである。
【０００５】
この折り返しモノポールアンテナは、折り返さない通常のモノポールアンテナと比較すると、アンテナの入力インピーダンスが４倍になることから送受信回路との間でインピーダンス整合が容易になり、また近接部品の影響を受け難いという特徴を有する。
【０００６】
ところで、無線通信によって提供されるサービスの多様化に伴い、複数の周波数帯域の信号を扱えるアンテナが要求されている。例えば、無線ＬＡＮの通信規格ＩＥＥＥ８０２．１１では、２．４ＧＨｚ帯および５ＧＨｚ帯の２つの周波数帯域が規定されており、これらの周波数帯域に対応可能な構成（デュアルバンド化）の要求がある。
【０００７】
従来、デュアルバンド化に対応し、折り返しモノポールアンテナ素子を有するアンテナとしては、特許文献１に開示されたものが知られている。
【０００８】
特許文献１に開示されたアンテナは、折り返しモノポールアンテナ素子からなる第１アンテナ素子と、折り返さない通常のモノポールアンテナ素子からなる第２アンテナ素子とを備えている。
【０００９】
第１アンテナ素子は、給電点を始端とし、折り返し点において折り返され、接地点において接地されている。第１アンテナ素子の給電点から折り返し点までの１箇所と、折り返し点から接地点までの１箇所との間には、両者間を電気的に短絡する短絡箇所が設けてある。
【００１０】
第２アンテナ素子は、給電点（第１アンテナ素子と共有）と短絡箇所との間に位置する分岐点において、第１アンテナ素子から分岐し、先端が解放されている。
【００１１】
前述の構成において、第１アンテナ素子については、給電点から折り返し点を経て接地点までの長さが、第１アンテナ素子の共振周波数の１／２波長とされている。
【００１２】
また、第２アンテナ素子については、給電点から分岐点を経て先端までの長さが、第２アンテナ素子の共振周波数の１／４波長とされ、給電点から分岐点および短絡箇所を経て接地点までの長さが、第２アンテナ素子の共振周波数の１／２波長とされている。
【００１３】
以上の構成により、特許文献１に開示されたアンテナは、デュアルバンド化に対応することができるようになっている。
【先行技術文献】
【特許文献】
【００１４】
【特許文献１】特許３７７５７９５号公報
【発明の概要】
【発明が解決しようとする課題】
【００１５】
しかしながら、特許文献１に開示されたアンテナは、分岐点および短絡箇所を有し、これらの点を基準として第１アンテナ素子および第２アンテナ素子の共振周波数を設定する構成となっているので、構造が複雑になるという課題があった。
【００１６】
したがって、本発明の目的は、簡単な構造でデュアルバンド化に対応できる折り返しモノポールアンテナを提供することにある。
【課題を解決するための手段】
【００１７】
本発明の折り返しモノポールアンテナは、高周波信号を入出力する入出力端子と、接地される接地端子と、前記入出力端子から前記接地端子までを第１および第２の折り返し部をそれぞれ介して接続する第１および第２のアンテナ素子とを備え、前記第１のアンテナ素子は、前記入出力端子から第１の方向および前記第１の方向に同一平面上で直交する第２の方向に順次延びて前記第１の折り返し部に接続される板状の第１の入出力側エレメントと、前記第１の折り返し部から前記第１の入出力側エレメントと平行に延びて前記接地端子に接続される板状の第１の接地側エレメントとを有し、前記第２のアンテナ素子は、前記入出力端子から前記第２の方向および前記第１の方向に順次延びて前記第２の折り返し部に接続される板状の第２の入出力側エレメントと、前記第２の折り返し部から前記第２の入出力側エレメントと平行に延びて前記接地端子に接続される板状の第２の接地側エレメントとを有する。
【発明の効果】
【００１８】
本発明は、簡単な構造でデュアルバンド化に対応できるという効果を有する折り返しモノポールアンテナを提供することができるものである。
【図面の簡単な説明】
【００１９】
【図１】本発明に係る折り返しモノポールアンテナの第１実施形態における斜視図である。
【図２】本発明に係る折り返しモノポールアンテナの第１実施形態における斜視図である。
【図３】本発明に係る折り返しモノポールアンテナの第１実施形態において、特性を確認するために作製した試作品の寸法である。
【図４】本発明に係る折り返しモノポールアンテナの第１実施形態において、特性を確認するために作製した試作品のＶＳＷＲ特性を示す図である。
【図５】本発明に係る折り返しモノポールアンテナの第１実施形態の変形例を示す斜視図である。
【図６】本発明に係る折り返しモノポールアンテナの第２実施形態における斜視図である。
【図７】本発明に係る折り返しモノポールアンテナの第２実施形態における側面図および正面図である。
【図８】本発明に係る折り返しモノポールアンテナの第２実施形態におけるハウジングの斜視図である。
【図９】本発明に係る折り返しモノポールアンテナの第３実施形態における斜視図である。
【図１０】本発明に係る折り返しモノポールアンテナの第４実施形態における平面図、断面図および底面図である。
【発明を実施するための形態】
【００２０】
（第１実施形態）
図１および図２に示すように、本実施形態における折り返しモノポールアンテナ１００は、アンテナ素子１０、アンテナ素子２０、入出力端子１０１、接地端子１０２を備え、外形形状がほぼ直方体の形状である。アンテナ素子１０およびアンテナ素子２０は、それぞれ、本発明に係る第１および第２のアンテナ素子を構成する。なお、図１および図２において、３次元座標軸（Ｘ軸、Ｙ軸、Ｚ軸）を図中に示している。
【００２１】
アンテナ素子１０は、入出力側エレメント１１と、接地側エレメント１２と、折り返し部１３とを有する。入出力側エレメント１１は、折り返し部１３に接続される辺１１ａと、入出力端子１０１に接続される辺１１ｂとを有する。同様に、接地側エレメント１２は、折り返し部１３に接続される辺１２ａと、接地端子１０２に接続される辺１２ｂとを有する。なお、折り返し部１３は、本発明に係る第１の折り返し部を構成する。
【００２２】
入出力側エレメント１１は、入出力端子１０１からＸ軸方向に延び、さらにＹ軸方向に延びて折り返し部１３に接続される略Ｌ字形状の平面導体で構成されている。この入出力側エレメント１１は、本発明に係る第１の入出力側エレメントを構成する。
【００２３】
接地側エレメント１２は、折り返し部１３から入出力側エレメント１１と平行に延びて接地端子１０２に接続される略Ｌ字形状の平面導体で構成されている。この接地側エレメント１２は、本発明に係る第１の接地側エレメントを構成する。
【００２４】
アンテナ素子２０は、入出力側エレメント２１と、接地側エレメント２２と、折り返し部２３とを有する。入出力側エレメント２１は、折り返し部２３に接続される辺２１ａと、この辺２１ａに直交する辺２１ｂとを有する。同様に、接地側エレメント２２は、折り返し部２３に接続される辺２２ａと、この辺２２ａに直交する辺２２ｂとを有する。なお、折り返し部２３は、本発明に係る第２の折り返し部を構成する。
【００２５】
アンテナ素子１０において、入出力端子１０１から接地端子１０２までの長さが、例えば周波数２．４ＧＨｚのほぼ１／２波長であり、入出力端子１０１または接地端子１０２から折り返し部１３までの長さが周波数のほぼ１／４波長である。
【００２６】
入出力側エレメント２１は、入出力端子１０１からＹ軸方向に延び、さらにＸ軸方向に延びて折り返し部２３に接続される略Ｌ字形状の平面導体で構成されている。この入出力側エレメント２１は、本発明に係る第２の入出力側エレメントを構成する。
【００２７】
接地側エレメント２２は、折り返し部２３から入出力側エレメント２１と平行に延びて接地端子１０２に接続される略Ｌ字形状の平面導体で構成されている。この接地側エレメント２２は、本発明に係る第２の接地側エレメントを構成する。
【００２８】
アンテナ素子２０において、入出力端子１０１から接地端子１０２までの長さが、例えば周波数５ＧＨｚのほぼ１／２波長であり、入出力端子１０１または接地端子１０２から折り返し部２３までの長さが周波数のほぼ１／４波長である。
【００２９】
入出力端子１０１は、プリント基板（図示せず）に設けられた入出力信号パタンに半田付けされる半田付け部１０１ａを有する。この入出力信号パタンは、図示しない送受信回路に接続されている。同様に、接地端子１０２は、プリント基板のグランドパタンに半田付けされる半田付け部１０２ａを有する。
【００３０】
入出力側エレメント１１には、支持端子１０３が一体に形成されている。この支持端子１０３は、入出力端子１０１および接地端子１０２とともに、折り返しモノポールアンテナ１００をプリント基板上に支持するようになっている。支持端子１０３には、プリント基板上の部品のいずれとも接続されない非接続パタンに半田付けされる半田付け部１０３ａが形成されている。
【００３１】
図１および図２に示したように、折り返しモノポールアンテナ１００は、アンテナ素子１０および２０が、展開された状態において、折り返し部１３および２３を挟んでほぼ対称な単純形状である。したがって、折り返しモノポールアンテナ１００は、一枚の金属板（例えば隣青銅板）をプレス加工により打ち抜いて、折り曲げることにより、容易に形成することができる。
【００３２】
次に、本実施形態における折り返しモノポールアンテナ１００の主要寸法について具体例を図３に示す。図３に示した寸法（単位：ミリメートル）は、折り返しモノポールアンテナ１００の特性を確認するために作製した試作品の寸法である。この試作品は、無線ＬＡＮの通信規格ＩＥＥＥ８０２．１１ｂで定められている２．４ＧＨｚ帯と、ＩＥＥＥ８０２．１１ａで定められている５ＧＨｚ帯のそれぞれに共振周波数を有するようデュアルバンド化を図ったものである。ここで、２．４ＧＨｚ帯は２．４ＧＨｚから２．４８ＧＨｚまでの周波数帯域、５ＧＨｚ帯は５．１５ＧＨｚから５．３５ＧＨｚまでの周波数帯域である。
【００３３】
以下、図１〜図３を参照しながら説明する。アンテナ素子１０および２０は、それぞれ、２．４ＧＨｚ帯および５ＧＨｚ帯の使用周波数帯域の波長に基づいて決定されている。具体的には、アンテナ素子１０の長さ（入出力端子１０１から接地端子１０２までの長さ）が周波数２．４ＧＨｚの波長の１／２程度となるよう、入出力側エレメント１１、接地側エレメント１２および折り返し部１３の各寸法が決められている。
【００３４】
一方、アンテナ素子２０の長さが周波数５ＧＨｚの波長の１／２程度となるよう、入出力側エレメント２１、接地側エレメント２２および折り返し部２３の各寸法が決められている。
【００３５】
アンテナ素子１０の共振周波数を所望値に設定する場合は、折り返し部１３の形状を変更することによって可能である。折り返し部１３は、端面１３ａおよび１３ｂを有しており、端面１３ａまたは１３ｂの位置を変更すればアンテナ素子１０の長さが変化し、それに応じた共振周波数が得られる。例えば、端面１３ａの位置を入出力端子１０１側に近づけた場合は、アンテナ素子１０の長さが短くなって共振周波数が高くなる。端面１３ｂの位置を入出力端子１０１側に近づけても同様になるが、端面１３ａの位置を変更した場合の方が変化が大きい。
【００３６】
同様に、アンテナ素子２０の共振周波数を所望値に設定する場合は、折り返し部２３の端面２３ａまたは２３ｂの位置を変更すればよい。
【００３７】
前述のように、アンテナ素子１０および２０は、その共振周波数を容易に設計変更することができるので、所望の２つの周波数に容易に共振させることができる。
【００３８】
次に、本実施形態における折り返しモノポールアンテナ１００の試作品の特性について測定結果を説明する。
【００３９】
図４は、図３に示した寸法における折り返しモノポールアンテナ１００のＶＳＷＲ（Voltage Standing Wave Ratio：電圧定在波比）特性の測定結果を示すグラフである。図中の△印の符号１及び２は、それぞれ、２．４ＧＨｚおよび２．４８ＧＨｚの周波数を示し、ともに２．４ＧＨｚ帯の周波数である。また、図中の△印の符号３および４は、それぞれ、５．００ＧＨｚおよび５．３５ＧＨｚの周波数を示し、ともに５ＧＨｚ帯の周波数である。
【００４０】
図４に示すように、折り返しモノポールアンテナ１００の試作品は、２．４ＧＨｚ帯および５ＧＨｚ帯においてそれぞれ共振点を有し、ＶＳＷＲ特性の実用的な値である３以下の特性が得られている。
【００４１】
一般に、２つのアンテナ素子が導体の一部を共有する構造において、一方のアンテナ素子の共振周波数が他方のアンテナ素子の共振周波数のほぼ偶数倍である場合は、デュアルバンド化を図るのが困難である。その理由は、周波数２．４ＧＨｚおよび５ＧＨｚを例に挙げると、周波数２．４ＧＨｚの信号電流が例えばピークのとき、周波数５ＧＨｚの信号電流がほぼゼロとなるからである。
【００４２】
しかしながら、本実施形態における折り返しモノポールアンテナ１００は、図４に示した構成を有することにより、２．４ＧＨｚ帯および５ＧＨｚ帯において実用レベルのＶＳＷＲ特性を得ることができた。
【００４３】
以上のように、本実施形態における折り返しモノポールアンテナ１００は、アンテナ素子１０および２０が、それぞれ、折り返し部１３および２３を挟んでほぼ対称となっているので、簡単な構造でデュアルバンド化に対応できる。
【００４４】
（第１実施形態の変形例）
前述した第１実施形態に代えて、図５に示す構成とすることもできる。第１実施形態では、入出力側エレメント１１の辺１１ａと接地側エレメント１２の辺１２ａとの間を折り返し部１３で接続していた（図１、図２参照）。図５に示した例では、辺１１ａに直交する辺１１ｂと、辺１２ａに直交する辺１２ｂとの間を折り返し部１４で接続した構成である。同様に、折り返し部２４は、入出力側エレメント２１の辺２１ｂと、接地側エレメント２２の辺２２ｂとの間を接続している。なお、折り返し部１４は、例えば、レーザー溶接、スポット溶接、かしめ等により、辺１１ｂと１２ｂとの間に金属板を接合することにより形成することができる。折り返し部２４の形成も同様である。
【００４５】
（第２実施形態）
図６に示すように、本実施形態における折り返しモノポールアンテナ２００は、第１実施形態の折り返しモノポールアンテナ１００（図１、図２参照）を支持するハウジング３０を備えている。以下の説明において、第１実施形態の要素と同一の要素には、同一の符号を付している。
【００４６】
ハウジング３０は、入出力側エレメント１１および２１を搭載し、プリント基板（図示せず）側から支持する搭載部３１と、搭載部３１から立ち上がった壁部３２とを有する。また、ハウジング３０は、入出力端子１０１に形成された貫通孔１０１ｂに挿入される凸部３３と、接地端子１０２に形成された貫通孔１０２ｂに挿入される凸部３４とを有する。
【００４７】
以下、図６に加え、図７および図８を参照しながら、ハウジング３０の構成をさらに詳細に説明する。図７（ａ）は図６におけるａ矢視の側面図であり、図７（ｂ）は図６におけるｂ矢視の正面図である。また、図８は、ハウジング３０の斜視図である。
【００４８】
図６〜図８に示すように、ハウジング３０の搭載部３１には、溝が形成された突起３１ａ、３１ｂおよび３１ｃが形成されている。突起３１ａおよび３１ｂの溝には、入出力側エレメント１１の辺１１ａ側が挟み込まれ、突起３１ｃの溝には、入出力側エレメント２１の辺２１ａ側が挟み込まれるようになっている。
【００４９】
また、搭載部３１は、図示しないプリント基板に配置される凸部３１ｄを有する。この凸部３１ｄは、入出力端子１０１、接地端子１０２および支持端子１０３とともに、折り返しモノポールアンテナ１００をプリント基板上に支持するようになっている。
【００５０】
壁部３２には、支持部３２ａ、３２ｂおよび３２ｃが形成されている。支持部３２ａは、入出力側エレメント１１と接地側エレメント１２との間を支持するようになっている。支持部３２ｂは、入出力側エレメント１１と接地側エレメント１２との間に加えて、入出力側エレメント２１と接地側エレメント２２との間も支持するようになっている。支持部３２ｃは、入出力側エレメント２１と接地側エレメント２２との間を支持するようになっている。支持部３２ｂには、接地側エレメント１２の一辺に押し当てられる突起３２ｄが形成されている。なお、支持部３２ａおよび３２ｂは、本発明に係る第１の支持部を構成する。また、支持部３２ｂおよび３２ｃは、本発明に係る第２の支持部を構成する。
【００５１】
前述のように、本実施形態における折り返しモノポールアンテナ２００は、ハウジング３０により支持される構成となっているので、外的な力による変形を防止することができる。また、この構成により、折り返しモノポールアンテナ２００は、変形し難い構造となるので、プリント基板上に自動実装機により自動実装することも可能となる。
【００５２】
（第３実施形態）
図９に示すように、本実施形態における折り返しモノポールアンテナ３００は、フレキシブルプリント基板（以下「ＦＰＣ」という。）４０と、固定部５０とを備えている。
【００５３】
ＦＰＣ４０は、電気絶縁性を有するベース材上に銅箔で形成されたプリントパタン４１および４２を備えている。プリントパタン４１および４２は、それぞれ、第１実施形態（図１、図２参照）におけるアンテナ素子１０および２０に相当し、本発明に係る第１および第２のアンテナ素子を構成する。
【００５４】
具体的には、ＦＰＣ４０は、アンテナ素子１０の接地側エレメント１２に相当するプリントパタン４１ａと、アンテナ素子１０の折り返し部１３に相当するプリントパタン４１ｂと、アンテナ素子１０の入出力側エレメント１１に相当するプリントパタン（図示せず）とを有する。なお、プリントパタン４１ａは、本発明に係る第１の接地側エレメントを構成する。また、プリントパタン４１ｂは、本発明に係る第１の折り返し部を構成する。
【００５５】
また、ＦＰＣ４０は、アンテナ素子２０の接地側エレメント２２に相当するプリントパタン４２ａと、アンテナ素子２０の折り返し部２３に相当するプリントパタン４２ｂと、アンテナ素子２０の入出力側エレメント２１に相当するプリントパタン（図示せず）とを有する。なお、プリントパタン４２ａは、本発明に係る第２の接地側エレメントを構成する。また、プリントパタン４２ｂは、本発明に係る第２の折り返し部を構成する。
【００５６】
さらに、ＦＰＣ４０は、第１実施形態における入出力端子１０１および接地端子１０２にそれぞれ相当するランドパタン４３および４４を有する。なお、ランドパタン４３および４４は、それぞれ、本発明に係る入出力端子および接地端子を構成する。
【００５７】
固定部５０は、例えば粘着剤によりＦＰＣ４０が貼り付けられるＦＰＣ貼付部５１と、ランドパタン４３および４４が形成されたＦＰＣ端子が貼り付けられる端子貼付部５２と、プリント基板に固定される基板固定部５３とを有する。
【００５８】
以上のように、本実施形態における折り返しモノポールアンテナ３００は、ＦＰＣ４０のプリントパタン４１および４２により２つのアンテナ素子が形成されているので、簡単な構造でデュアルバンド化に対応できる。
【００５９】
（第４実施形態）
図１０に示すように、本実施形態における無線ユニット４００は、無線モジュール４０１と、折り返しモノポールアンテナ５００とを備える。折り返しモノポールアンテナ５００は、誘電体で形成されたプリント基板６０上に、プリントパタンにより形成されたアンテナ素子７０および８０を有する。アンテナ素子７０および８０は、それぞれ、第１実施形態（図１、図２参照）におけるアンテナ素子１０および２０に相当する。なお、プリント基板６０は、本発明に係る誘電体基板を構成する。
【００６０】
具体的には、アンテナ素子７０は、第１実施形態の入出力側エレメント１１に相当するプリントパタン７１と、第１実施形態の接地側エレメント１２に相当するプリントパタン７２と、第１実施形態の折り返し部１３に相当するスルホール７３とを有する。なお、プリントパタン７１は、本発明に係る第１の入出力側導体パタンを構成する。また、プリントパタン７２は、本発明に係る第１の接地側導体パタンを構成する。また、スルホール７３は、本発明に係る第１の折り返しスルホールを構成する。
【００６１】
また、アンテナ素子８０は、第１実施形態の入出力側エレメント２１に相当するプリントパタン８１と、第１実施形態の接地側エレメント２２に相当するプリントパタン８２と、第１実施形態の折り返し部２３に相当するスルホール８３とを有する。なお、プリントパタン８１は、本発明に係る第２の入出力側導体パタンを構成する。また、プリントパタン８２は、本発明に係る第２の接地側導体パタンを構成する。また、スルホール８３は、本発明に係る第２の折り返しスルホールを構成する。
【００６２】
さらに、プリント基板６０には、第１実施形態の出力端子１０１および接地端子１０２にそれぞれ相当するプリントパタン９１および９２が形成されている。なお、プリントパタン９１および９２は、それぞれ、本発明に係る入出力導体パタンおよび接地導体パタンを構成する。
【００６３】
プリントパタン９１は、スルホール９３およびプリントパタン９４を介して無線モジュール４０１の入出力端子（図示せず）に接続されている。プリントパタン９２は、無線モジュール４０１のグランド端子（図示せず）に接続されている。
【００６４】
以上のように、本実施形態における無線ユニット４００は、プリント基板６０上のプリントパタンにより形成されたアンテナ素子７０および８０を有するので、簡単な構造でデュアルバンド化に対応できる。
【産業上の利用可能性】
【００６５】
以上のように、本発明に係る折り返しモノポールアンテナは、簡単な構造でデュアルバンド化に対応できるという効果を有し、携帯電話や、無線通信が可能な電子機器等に内蔵される、デュアルバンド対応の折り返しモノポールアンテナとして有用である。
【符号の説明】
【００６６】
１０、７０  アンテナ素子（第１のアンテナ素子）
１１  入出力側エレメント（第１の入出力側エレメント）
１２  接地側エレメント（第１の接地側エレメント）
１３、１４  折り返し部（第１の折り返し部）
２３、２４  折り返し部（第２の折り返し部）
２０、８０  アンテナ素子（第２のアンテナ素子）
２１  入出力側エレメント（第２の入出力側エレメント）
２２  接地側エレメント（第２の接地側エレメント）
３０  ハウジング
３２ａ  支持部（第１の支持部）
３２ｂ  支持部（第１、第２の支持部）
３２ｃ  支持部（第２の支持部）
４０  ＦＰＣ
４１  プリントパタン（第１のアンテナ素子）
４１ａ  プリントパタン（第１の接地側エレメント）
４１ｂ  プリントパタン（第１の折り返し部）
４２  プリントパタン（第２のアンテナ素子）
４２ａ  プリントパタン（第２の接地側エレメント）
４２ｂ  プリントパタン（第２の折り返し部）
４３  ランドパタン（入出力端子）
４４  ランドパタン（接地端子）
６０  プリント基板（誘電体基板）
７１  プリントパタン（第１の入出力側導体パタン）
７２  プリントパタン（第１の接地側導体パタン）
７３  スルホール（第１の折り返しスルホール）
８１  プリントパタン（第２の入出力側導体パタン）
８２  プリントパタン（第２の接地側導体パタン）
８３  スルホール（第２の折り返しスルホール）
９１  プリントパタン（入出力導体パタン）
９２  プリントパタン（接地導体パタン）
９３  スルホール
９４  プリントパタン
１００、２００、３００、５００  折り返しモノポールアンテナ
１０１  入出力端子
１０１ａ、１０２ａ、１０３ａ  半田付け部
１０２  接地端子
１０３  支持端子
４０１  無線モジュール
【図１】
2012199757.tif 000003
【図２】
2012199757.tif 000004
【図３】
2012199757.tif 000005
【図４】
2012199757.tif 000006
【図５】
2012199757.tif 000007
【図６】
2012199757.tif 000008
【図７】
2012199757.tif 000009
【図８】
2012199757.tif 000010
【図９】
2012199757.tif 000011
【図１０】
2012199757.tif 000012